(57)【要約】  本開示は、移動端末制御方法および移動端末を開示し、移動端末技術分野に属する。前記方法は、操作体が前記移動端末の側辺にタッチ操作する時にトリガしたタッチ信号を検出することと、前記タッチ信号に基づいて、前記タッチ操作に対応するタッチ位置とタッチモードを確定することと、前記タッチ位置と前記タッチモードに基づいて、対応する制御イベントを確定することと、前記制御イベントに基づいて前記移動端末を制御することとを含む。【選択図】図１
2017535895.tif 000002
【特許請求の範囲】
【請求項１】
移動端末制御方法であって、
前記移動端末に側辺タッチパネルが設置され、前記方法は、
操作体が前記移動端末の側辺にタッチ操作する時にトリガしたタッチ信号を検出することと、
前記タッチ信号に基づいて、前記タッチ操作に対応するタッチ位置とタッチモードを確定することと、
前記タッチ位置と前記タッチモードに基づいて、対応する制御イベントを確定することと、
前記制御イベントに基づいて前記移動端末を制御することとを含む、前記移動端末制御方法。
【請求項２】
前記タッチ位置と前記タッチモードに基づいて、対応する制御イベントを確定することは、
予め設定されたタッチ位置、タッチモードおよび制御イベントの対応関係において、前記タッチ位置と前記タッチモードに対応する制御イベントを選択することを含むことを特徴とする
請求項１に記載の方法。
【請求項３】
前記タッチ位置が複数のタッチ位置の組み合わせを含み、前記タッチモードが各タッチ位置に対応するタッチモードを含み、
前記タッチ位置と前記タッチモードに基づいて、対応する制御イベントを確定することは、
予め設定されたタッチ位置、タッチモードおよび制御イベントの対応関係において、前記複数のタッチ位置の組み合わせと前記各タッチ位置に対応するタッチモードに対応する制御イベントを選択することを含むことを特徴とする
請求項１に記載の方法。
【請求項４】
前記方法は、
システムオプションに側辺タッチ操作を構成するためのオプションメニューを設定することをさらに含むことを特徴とする
請求項１〜３のいずれかの１項に記載の方法。
【請求項５】
前記方法は、
ユーザが前記オプションメニューにおける構成操作をトリガすることを検出した場合、操作体の前記側辺タッチパネルでのタッチ操作を記録し、前記タッチ操作がタッチ位置とタッチモードを含むことと、
前記ユーザが前記オプションメニューで選択した制御イベントを受信することと、
前記タッチ位置、前記タッチモードおよび前記タッチイベントを予め設定されたタッチ位置、タッチモードおよび制御イベントの対応関係に記憶することとをさらに含むことを特徴とする
請求項４に記載の方法。
【請求項６】
前記制御イベントは、指定された応用レベルの応用プログラムを起動することまたはシステムの底層の制御命令を実行することを含むことを特徴とする
請求項１〜３のいずれかの１項に記載の方法。
【請求項７】
前記タッチモードは、クリック、ダブルクリック、長押しおよび摺動のうちの１つまたは複数を含むことを特徴とする
請求項１〜３のいずれかの１項に記載の方法。
【請求項８】
移動端末であって、
前記移動端末に側辺タッチパネルが設置され、前記装置は、
操作体が前記移動端末の側辺にタッチ操作する時にトリガしたタッチ信号を検出するように構成される検出モジュールと、
前記タッチ信号に基づいて、前記タッチ操作に対応するタッチ位置とタッチモードを確定するように構成される第一の確定モジュールと、
前記タッチ位置と前記タッチモードに基づいて、対応する制御イベントを確定するように構成される第二の確定モジュールと、
前記制御イベントに基づいて前記移動端末を制御するように構成される制御モジュールとを含む、前記移動端末。
【請求項９】
前記確定モジュールは、
予め設定されたタッチ位置、タッチモードおよび制御イベントの対応関係において、前記タッチ位置と前記タッチモードに対応する制御イベントを選択するように構成される第一の選択ユニットを含むことを特徴とする
請求項８に記載の移動端末。
【請求項１０】
前記タッチ位置が複数のタッチ位置の組み合わせを含み、前記タッチモードが各タッチ位置に対応するタッチモードを含み、
前記確定モジュールは、
予め設定されたタッチ位置、タッチモードおよび制御イベントの対応関係において、前記複数のタッチ位置の組み合わせと前記各タッチ位置に対応するタッチモードに対応する制御イベントを選択するように構成される第二の選択ユニットを含むことを特徴とする
請求項８に記載の移動端末。
【請求項１１】
前記装置は、
システムオプションに側辺タッチ操作を構成するためのオプションメニューを設定するように構成される設定モジュールをさらに含むことを特徴とする
請求項８〜１０のいずれかの１項に記載の移動端末。
【請求項１２】
前記装置は、
ユーザが前記オプションメニューにおける構成操作をトリガすることを検出した場合、操作体の前記側辺タッチパネルでのタッチ操作を記録するように構成され、前記タッチ操作がタッチ位置とタッチモードを含む記録モジュールと、
前記ユーザが前記オプションメニューで選択した制御イベントを受信するように構成される受信モジュールと、
前記タッチ位置、前記タッチモードおよび前記制御イベントを予め設定されたタッチ位置、タッチモードおよび制御イベントの対応関係に記憶するように構成される記憶モジュールとをさらに含むことを特徴とする
請求項１１に記載の移動端末。
【請求項１３】
前記制御イベントは、指定された応用レベルの応用プログラムを起動することまたはシステムの底層の制御命令を実行することを含むことを特徴とする
請求項８〜１０のいずれかの１項に記載の移動端末。
【請求項１４】
前記タッチモードは、クリック、ダブルクリック、長押しおよび摺動のうちの１つまたは複数を含むことを特徴とする
請求項８〜１０のいずれかの１項に記載の移動端末。
【請求項１５】
移動端末であって、
前記移動端末に側辺タッチパネルが設置され、
プロセッサと、
プロセッサで実行可能な命令を記憶するように構成されるメモリとを含み、
前記プロセッサが、
操作体が前記移動端末の側辺にタッチ操作する時にトリガしたタッチ信号を検出し、
前記タッチ信号に基づいて、前記タッチ操作に対応するタッチ位置とタッチモードを確定し、
前記タッチ位置と前記タッチモードに基づいて、対応する制御イベントを確定し、
前記制御イベントに基づいて前記移動端末を制御するように構成される、前記移動端末。
【発明の詳細な説明】
【技術分野】
【０００１】
本願は、出願番号２０１５１０５４４１１８．５、出願日２０１５年８月２８日の中国特許出願に基づいて提出され、当該中国特許出願の優先権を主張し、当該中国特許出願の全ての内容が本願において援用される。
【０００２】
本開示は、移動端末技術分野に関し、特に移動端末制御方法および移動端末に関する。
【背景技術】
【０００３】
移動端末技術の発展に伴い、タッチ操作モードがエンティティキー操作モードに代えて移動端端末に応用され、この操作モードが移動端末における最も主要なマンマシンインタラクションモードである。現在、ユーザは、主に移動端末ＬＣＤスクリーンにおけるタッチパネルにより、移動端末において様々な機能の操作を実現する。
【発明の概要】
【発明が解決しようとする課題】
【０００４】
本開示の実施形態は、従来技術の問題を解決するように、移動端末制御方法および移動端末を提供する。前記技術的解決手段は、以下の通りである。
【課題を解決するための手段】
【０００５】
本開示の実施形態の第一の態様による移動端末制御方法は、前記移動端末に側辺タッチパネルが設置され、
操作体が前記移動端末の側辺にタッチ操作する時にトリガしたタッチ信号を検出することと、
前記タッチ信号に基づいて、前記タッチ操作に対応するタッチ位置とタッチモードを確定することと、
前記タッチ位置と前記タッチモードに基づいて、対応する制御イベントを確定することと、
前記制御イベントに基づいて前記移動端末を制御することとを含む。
【０００６】
また、前記タッチ位置と前記タッチモードに基づいて、対応する制御イベントを確定することは、
予め設定されたタッチ位置、タッチモードおよび制御イベントの対応関係において、前記タッチ位置と前記タッチモードに対応する制御イベントを選択することを含む。
【０００７】
また、前記タッチ位置が複数のタッチ位置の組み合わせを含み、前記タッチモードが各タッチ位置に対応するタッチモードを含み、
前記タッチ位置と前記タッチモードに基づいて、対応する制御イベントを確定することは、
予め設定されたタッチ位置、タッチモードおよび制御イベントの対応関係において、前記複数のタッチ位置の組み合わせと前記各タッチ位置に対応するタッチモードに対応する制御イベントを選択することを含む。
【０００８】
また、前記方法は、
システムオプションに側辺タッチ操作を構成するためのオプションメニューを設定することをさらに含む。
【０００９】
また、前記方法は、
ユーザが前記オプションメニューにおける構成操作（ｃｏｎｆｉｇｕｒａｔｉｏｎ  ｏｐｅｒａｔｉｏｎ）をトリガすることを検出した場合、操作体の前記側辺タッチパネルでのタッチ操作を記録し、前記タッチ操作がタッチ位置とタッチモードを含むことと、
前記ユーザが前記オプションメニューで選択した制御イベントを受信することと、
前記タッチ位置、前記タッチモードおよび前記タッチイベントを予め設定されたタッチ位置、タッチモードおよび制御イベントの対応関係に記憶することとをさらに含む。
【００１０】
また、前記制御イベントは、指定された応用レベルの応用プログラムを起動することまたはシステムの底層の制御命令を実行することを含む。
【００１１】
また、前記タッチモードは、クリック、ダブルクリック、長押しおよび摺動のうちの１つまたは複数を含む。
【００１２】
本開示の実施形態の第二の態様による移動端末は、移動端末内に側辺タッチパネルが設置され、
操作体が前記移動端末の側辺にタッチ操作する時にトリガしたタッチ信号を検出するように構成される検出モジュールと、
前記タッチ信号に基づいて、前記タッチ操作に対応するタッチ位置とタッチモードを確定するように構成される第一の確定モジュールと、
前記タッチ位置と前記タッチモードに基づいて、対応する制御イベントを確定するように構成される第二の確定モジュールと、
前記制御イベントに基づいて前記移動端末を制御するように構成される制御モジュールとを含む。
【００１３】
また、前記確定モジュールは、
予め設定されたタッチ位置、タッチモードおよび制御イベントの対応関係において、前記タッチ位置と前記タッチモードに対応する制御イベントを選択するように構成される第一の選択ユニットを含む。
【００１４】
また、前記タッチ位置が複数のタッチ位置の組み合わせを含み、前記タッチモードが各タッチ位置に対応するタッチモードを含み、
前記確定モジュールは、
予め設定されたタッチ位置、タッチモードおよび制御イベントの対応関係において、前記複数のタッチ位置の組み合わせと前記各タッチ位置に対応するタッチモードに対応する制御イベントを選択するように構成される第二の選択ユニットを含む。
【００１５】
また、前記装置は、
システムオプションに側辺タッチ操作を構成するためのオプションメニューを設定するように構成される設定モジュールをさらに含む。
【００１６】
また、前記装置は、
ユーザが前記オプションメニューにおける構成操作をトリガすることを検出した場合、操作体の前記側辺タッチパネルでのタッチ操作を記録するように構成され、前記タッチ操作がタッチ位置とタッチモードを含む記録モジュールと、
前記ユーザが前記オプションメニューで選択した制御イベントを受信するように構成される受信モジュールと、
前記タッチ位置、前記タッチモードおよび前記制御イベントを予め設定されたタッチ位置、タッチモードおよび制御イベントの対応関係に記憶するように構成される記憶モジュールとをさらに含む。
【００１７】
また、前記制御イベントは、指定された応用レベルの応用プログラムを起動することまたはシステムの底層の制御命令を実行することを含む。
【００１８】
また、前記タッチモードは、クリック、ダブルクリック、長押しおよび摺動のうちの１つまたは複数を含む。
【００１９】
本開示の実施形態の第三の態様による移動端末は、前記移動端末に側辺タッチパネルが設置され、
プロセッサと、
プロセッサで実行可能な命令を記憶するように構成されるメモリとを含み、
ここで、前記プロセッサが、
操作体が前記移動端末の側辺にタッチ操作する時にトリガしたタッチ信号を検出し、
前記タッチ信号に基づいて、前記タッチ操作に対応するタッチ位置とタッチモードを確定し、
前記タッチ位置と前記タッチモードに基づいて、対応する制御イベントを確定し、
前記制御イベントに基づいて前記移動端末を制御するように構成される。
【００２０】
本開示の実施形態による技術的解決手段は、以下の有益な効果を含むことができる。
【００２１】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【図面の簡単な説明】
【００２２】
【図１】一つの例示的な実施形態による移動端末制御方法のフローチャートである。
【図２】一つの例示的な実施形態による移動端末制御方法のフローチャートである。
【図３】一つの例示的な実施形態による移動端末制御方法のフローチャートである。
【図４】一つの例示的な実施形態による移動端末制御方法のフローチャートである。
【図５】一つの例示的な実施形態による移動端末のブロック図である。
【図６】一つの例示的な実施形態による移動端末における確定モジュールのブロック図である。
【図７】一つの例示的な実施形態による移動端末のブロック図（移動端末の一般的な構造）である。
【発明を実施するための形態】
【００２３】
ここの図面は、明細書に組み込まれて本明細書の一部を構成し、本開示に本開示に合致する実施形態を示し、そして明細書と共に本開示の原理を解釈することに用いられる。
【００２４】
本開示の目的、技術的解決手段と利点がより明らかになるように、以下に図面を参照して本開示の実施形態をさらに詳しく説明する。
【００２５】
本開示の一つの例示的な実施形態による移動端末制御方法について、図１を参照して、本開示の実施形態が移動端末に応用され、移動端末に側辺タッチパネルが設置され、当該方法のプロセスは、以下のステップを含む。
【００２６】
ステップ１０１において、操作体が移動端末の側辺にタッチ操作する時にトリガしたタッチ信号を検出する。
【００２７】
ステップ１０２において、タッチ信号に基づいて、タッチ操作に対応するタッチ位置とタッチモードを確定する。
【００２８】
ステップ１０３において、タッチ位置とタッチモードに基づいて、対応する制御イベントを確定する。
【００２９】
ステップ１０４において、制御イベントに基づいて移動端末を制御する。
【００３０】
本実施形態において、移動端末に設置された側辺タッチパネルの設置モードは、以下のモードを含むがこれらに限られない。
【００３１】
状況１において、側辺タッチパネルを移動端末の側辺に設置する。
【００３２】
状況２において、側辺タッチパネルは、移動端末の側辺に設置されることなく、ＬＣＤパネル上のタッチパネルを側辺タッチパネルとすることで、移動端末の側辺のタッチ操作をセンシングする。
【００３３】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【００３４】
本開示の別の例示的な実施形態による移動端末制御方法について、図２を参照し、本開示の実施形態が移動端末に応用され、移動端末に側辺タッチパネルが設置され、当該方法のプロセスは、以下のステップを含む。
【００３５】
ステップ２０１において、操作体が移動端末の側辺にタッチ操作する時にトリガしたタッチ信号を検出する。
【００３６】
ここで、本ステップにおいて移動端末が操作体の移動端末の側辺でのタッチ操作を検出することは、側辺タッチパネルにより検出することで得られる。
【００３７】
また、ユーザは、初期化構成などのモードにより予め移動端末の側辺のタッチ可能位置を分割し、分割した後に複数のタッチ可能位置領域を得て、各領域にそれに唯一的に対応する座標識別子を設定することができる。それに対応して、操作体が移動端末の側辺に作用するタッチ操作中のタッチ位置は、当該座標識別子で表されることができる。ここで、移動端末の側辺のタッチ操作を検出することは、一つの側辺のみを検出することであってよく、２つの側辺を検出することであってもよく、ここで限定されない。
【００３８】
ユーザが移動端末の側辺に対してタッチ操作を行う場合、側辺タッチパネルは、トリガされてタッチ信号を生成し、当該タッチ信号が側辺タッチパネルにより検出された、ユーザの移動端末の側辺でのタッチ操作中のタッチ位置とタッチモードを含む。
【００３９】
ステップ２０２において、タッチ信号に基づいて、タッチ操作に対応するタッチ位置とタッチモードを確定する。
【００４０】
ここで、タッチ信号におけるタッチ位置は、側辺タッチパネルにより検出された移動端末の側辺のタッチ可能位置領域の座標識別子であってよい。
【００４１】
ここで、タッチ信号におけるタッチモードは、クリック、ダブルクリック、長押しおよび摺動のうちの１つまたは複数を含むことができる。ダブルクリックのタッチモードは、操作体が同じタッチ位置に２回クリックするタッチモードの間の時間が第一の所定時間より小さいことを検出した場合にダブルクリックとして確定されることであり、長押しのタッチモードは、操作体があるタッチ位置をクリックする時間が第二の所定時間に達することを検出することであり、摺動のタッチモードは、操作体があるタッチ位置をタッチした後にある方向で移動し続けることを検出することである。
【００４２】
また、タッチモードが摺動である場合、タッチ位置は、複数の予め設定されたタッチ可能位置領域を経てる可能性があるので、このような場合でタッチ位置は、１つ以上の座標識別子を含むことができる。
【００４３】
本実施形態において、タッチ操作は、操作体が移動端末の側辺にタッチ操作を行うことであり、対応するタッチ信号におけるタッチ位置は、当該操作体が移動端末の側辺にタッチ操作を行った後に検出した１つ以上の座標識別子であり、タッチモードは、当該操作体が移動端末の側辺にタッチ操作を行った後に検出されたタッチモードである。
【００４４】
例えば、ユーザは、一つの指で移動端末の側辺のある予め設定されたタッチ可能位置領域にクリックのタッチ操作を行うと、対応するタッチ信号をトリガする。
【００４５】
ステップ２０３において、予め設定されたタッチ位置、タッチモードおよび制御イベントの対応関係において、タッチ位置とタッチモードに対応する制御イベントを選択する。
【００４６】
ここで、本実施形態において、タッチ位置、タッチモードおよび制御イベントの対応関係に保存された内容は、タッチ位置、タッチモードと制御イベントの対応関係である。
【００４７】
ここで、制御イベントは、指定された応用レベルの応用プログラムを起動することまたはシステムの底層（Ｂｏｔｔｏｍ  ｌａｙｅｒ）の制御命令を実行することを含む。
【００４８】
ここで、応用レベルの応用プログラムは、ユーザよりインストールされた第三者応用プログラム、例えば即時通信系アプリケーション、ソーシャルネットワーク系アプリケーション、撮影写真系アプリケーション、ピクチャ処理系アプリケーションなどであってよく、システムが有する応用レベルの応用プログラム、例えばアドレス帳アプリケーション、スクラッチパッドアプリケーションなどであってもよい。
【００４９】
ここで、システムの底層の制御命令は、移動端末を制御するためのいくつかの機能、例えば電話を受ける制御命令、スクリーンのロックを解除する制御命令、スクリーンをロックする制御命令などであってよい。
【００５０】
ステップ２０４において、制御イベントに基づいて移動端末を制御する。
【００５１】
制御イベントに基づいて、一つの応用プログラムを起動しまたはシステムに対する制御命令を実行して、操作体の移動端末の側辺でのタッチ操作により移動端末を制御するモードを実現する。
【００５２】
本開示の実施形態によれば、移動端末に設置された側辺タッチパネルにより操作体が移動端末の側辺に作用するタッチ操作を検出し、タッチ操作中のタッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【００５３】
本開示の別の例示的な実施形態による移動端末制御方法について、図３を参照し、本開示の実施形態が移動端末に応用され、移動端末に側辺タッチパネルが設置され、当該方法のプロセスは、以下のステップを含む。
【００５４】
ステップ３０１において、操作体が移動端末の側辺にタッチ操作する時にトリガしたタッチ信号を検出する。
【００５５】
ここで、本ステップにおいて移動端末の側辺でのタッチ操作を検出することは、側辺タッチパネルにより検出することで得られる。
【００５６】
また、移動端末の側辺のタッチ可能位置を予め分割し、分割した後に複数のタッチ可能位置領域を得て、各領域にそれに唯一的に対応する座標識別子を設定することができる。それに対応して、操作体が移動端末の側辺に作用するタッチ操作中のタッチ位置は、当該座標識別子で表されることができる。ここで、移動端末の側辺のタッチ操作を検出することは、一つの側辺を検出することであってよく、２つの側辺を検出することであってもよく、ここで限定されない。
【００５７】
ユーザが移動端末の側辺に対してタッチ操作を行う場合、側辺タッチパネルは、トリガされてタッチ信号を生成し、当該タッチ信号が側辺タッチパネルにより検出された、ユーザの移動端末の側辺でのタッチ操作中のタッチ位置とタッチモードである。
【００５８】
ステップ３０２において、タッチ信号に基づいて、タッチ操作に対応するタッチ位置とタッチモードを確定する。
【００５９】
ここで、タッチ信号におけるタッチ位置は、側辺タッチパネルにより検出された移動端末の側辺のタッチ可能位置領域の座標識別子である。
【００６０】
ここで、タッチ信号におけるタッチモードは、クリック、ダブルクリック、長押しおよび摺動のうちの１つまたは複数を含むことができる。ダブルクリックのタッチモードは、操作体が同じタッチ位置に２回クリックするタッチモードの間の時間が第一の所定時間より小さいことを検出した場合にダブルクリックとして確定されることであり、長押しのタッチモードは、操作体があるタッチ位置をクリックする時間が第二の所定時間に達することを検出することであり、摺動のタッチモードは、操作体があるタッチ位置をタッチした後にある方向で移動し続けることを検出することである。
【００６１】
また、タッチモードが摺動である場合、タッチ位置は、複数の予め設定されたタッチ可能位置領域を経てる可能性があるので、このような場合でタッチ位置は、１つ以上の座標識別子を含むことができる。
【００６２】
本実施形態において、タッチ操作は、複数の操作体が移動端末の側辺にタッチ操作を行うことであり、対応するタッチ信号におけるタッチ位置は、当該複数の操作体が移動端末の側辺にタッチ操作を行った後に検出した複数のタッチ位置の組み合わせ、即ち複数の座標識別子の組み合わせであり、タッチモードは、当該各操作体が移動端末の側辺にタッチ操作を行った後に検出されたタッチモードであり、対応するタッチモードにそれぞれ各タッチ位置に対応するタッチモードが存在する。
【００６３】
例えば、ユーザは、２つの指で移動端末の側辺のある２つの予め設定されたタッチ可能位置領域にクリックのタッチ操作を行うと、対応するタッチ信号をトリガする。
【００６４】
ステップ３０３において、予め設定されたタッチ位置、タッチモードおよびタッチイベントの対応関係において、複数のタッチ位置の組み合わせと各タッチ位置に対応するタッチモードに対応する制御イベントを選択する。
【００６５】
ここで、本実施形態において、タッチ位置、タッチモードおよび制御イベントの対応関係に保存された内容は、複数のタッチ位置の組み合わせ、各タッチ位置に対応するタッチモードと制御イベントの対応関係である。
【００６６】
ここで、制御イベントは、指定された応用レベルの応用プログラムを起動することまたはシステムの底層の制御命令を実行することを含む。
【００６７】
ここで、応用レベルの応用プログラムは、ユーザよりインストールされた第三者応用プログラム、例えば即時通信系アプリケーション、ソーシャルネットワーク系アプリケーション、撮影写真系アプリケーション、ピクチャ処理系アプリケーションなどであってよく、システムが有する応用レベルの応用プログラム、例えばアドレス帳アプリケーション、スクラッチパッドアプリケーションなどであってもよい。
【００６８】
ここで、システムの底層の制御命令は、移動端末を制御するためのいくつかの機能、例えば電話を受ける制御命令、スクリーンのロックを解除する制御命令、スクリーンをロックする制御命令などであってよい。
【００６９】
ステップ３０４において、制御イベントに基づいて移動端末を制御する。
【００７０】
制御イベントに基づいて、一つの応用プログラムを起動しまたはシステムに対する制御命令を実行して、操作体の移動端末の側辺でのタッチ操作により移動端末を制御するモードを実現することができる。
【００７１】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【００７２】
本開示の別の例示的な実施形態による移動端末制御方法について、図４を参照し、本開示の実施形態が移動端末に応用され、移動端末に側辺タッチパネルが設置され、当該方法のプロセスは、以下のステップを含む。
【００７３】
ステップ４０１において、システムオプションに側辺タッチ操作を構成（ｃｏｎｆｉｇｕｒｅ）するためのオプションメニューを設定する。
【００７４】
当該オプションメニューにおいて、側辺でのタッチ操作に対する構成操作（ｃｏｎｆｉｇｕｒａｔｉｏｎ  ｏｐｅｒａｔｉｏｎ）をトリガすることができる。構成過程にユーザが自分でタッチ位置およびタッチモードを設定することができる。
【００７５】
また、オプションメニューに制御イベントに対応するオプションリストを構成することができ、当該オプションリストに各応用レベルの応用プログラム識別子およびシステムの底層の制御命令識別子が含まれる。
【００７６】
ユーザは、それぞれタッチ位置、タッチモードの設定および制御イベントの設定を行った場合、設定された内容を予め設定されたタッチ位置、タッチモードおよび制御イベントの対応関係に保存する。
【００７７】
ステップ４０２において、ユーザがオプションメニューにおける構成操作をトリガすることを検出した場合、操作体の側辺タッチパネルでのタッチ操作を記録し、タッチ操作がタッチ位置とタッチモードを含む。
【００７８】
このステップにおいて、ユーザがオプションメニューに構成操作をトリガすると、側辺タッチパネルは、側辺タッチ操作を設定するように、ユーザが移動端末の側辺に行うタッチ操作を検出する。
【００７９】
ステップ４０３において、ユーザがオプションメニューで選択した制御イベントを受信する。
【００８０】
このステップにおいて、ユーザは、制御イベントに対応するオプションメニューに設定すべき制御イベントを選択する。
【００８１】
ステップ４０４において、タッチ位置、タッチモードおよびタッチイベントを予め設定されたタッチ位置、タッチモードおよび制御イベントの対応関係に記憶する。
【００８２】
本開示の実施形態によれば、移動端末に設定された、側辺タッチ操作を構成するためのオプションメニューで、側辺タッチ操作モードを設定することにより、ユーザが、自分で移動端末の側辺のタッチ操作に対応する制御イベントを定義することができ、マンマシンインタラクションを向上させる。
【００８３】
上記の例示的な実施形態による移動端末制御方法に対応し、本開示の別の例示的な実施形態による移動端末は、移動端末内に側辺タッチパネルが設置され、図５を参照し、以下のモジュールを含むことができる。
【００８４】
検出モジュール５０１は、操作体が移動端末の側辺にタッチ操作する時にトリガしたタッチ信号を検出するように構成される。
【００８５】
第一の確定モジュール５０２は、タッチ信号に基づいて、タッチ操作に対応するタッチ位置とタッチモードを確定するように構成される。
【００８６】
第二の確定モジュール５０３は、タッチ位置とタッチモードに基づいて、対応する制御イベントを確定するように構成される。
【００８７】
制御モジュール５０４は、制御イベントに基づいて移動端末を制御するように構成される。
【００８８】
ここで、図６に示すように、第二の確定モジュール５０３は、
予め設定されたタッチ位置、タッチモードおよび制御イベントの対応関係において、タッチ位置とタッチモードに対応する制御イベントを選択するように構成される第一の選択ユニット５０３１を含む。
【００８９】
ここで、タッチ位置が複数のタッチ位置の組み合わせを含み、タッチモードが各タッチ位置に対応するタッチモードを含む。
【００９０】
図６に示すように、第二の確定モジュール５０３は、
予め設定されたタッチ位置、タッチモードおよび制御イベントの対応関係において、複数のタッチ位置の組み合わせと各タッチ位置に対応するタッチモードに対応する制御イベントを選択するように構成される第二の選択ユニット５０３２を含む。
【００９１】
ここで、図５に示すように、移動端末は、
システムオプションに側辺タッチ操作を構成するためのオプションメニューを設定するように構成される設定モジュール５０５をさらに含むことができる。
【００９２】
ここで、図５に示すように、移動端末は、
ユーザがオプションメニューにおける構成操作をトリガすることを検出した場合、操作体の側辺タッチパネルでのタッチ操作を記録するように構成され、タッチ操作がタッチ位置とタッチモードを含む記録モジュール５０６と、
ユーザがオプションメニューで選択した制御イベントを受信するように構成される受信モジュール５０７と、
タッチ位置、タッチモードおよび制御イベントを予め設定されたタッチ位置、タッチモードおよび制御イベントの対応関係に記憶するように構成される記憶モジュール５０８とをさらに含むことができる。
【００９３】
ここで、制御イベントは、指定された応用レベルの応用プログラムを起動することまたはシステムの底層の制御命令を実行することを含む。
【００９４】
ここで、タッチモードは、クリック、ダブルクリック、長押しおよび摺動のうちの１つまたは複数を含むことができる。
【００９５】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【００９６】
上記の例示的な実施形態による移動端末に対応し、本開示の別の例示的な実施形態による移動端末７００は、図７を参照する。例えば、移動端末７００は、携帯電話、コンピュータ、デジタル放送端末、メッセージ送受信装置、ゲーム機、タブレットデバイス、医療機器、フィットネス機器、パーソナルデジタルアシスタントなどであってよい。
【００９７】
図７を参照し、移動端末７００は、処理コンポーネント７０２、メモリ７０４、電力コンポーネント７０６、マルチメディアコンポーネント７０８、オーディオコンポーネント７１０、入力／出力（Ｉ／Ｏ）インターフェース７１２、センサコンポーネント７１４、および通信コンポーネント７１６のうちの一つまたは複数のコンポーネントを含むことができる。
【００９８】
処理コンポーネント７０２は、通常、移動端末７００の全体操作、例えば表示、電話コール、データ通信、カメラ操作と記録操作に関連する操作を制御する。処理コンポーネント７０２は、１つまたは複数のプロセッサ７２０を含んで命令を実行して、上記の方法のすべてまたは一部のステップを完了することができる。また、処理コンポーネント７０２は、１つまたは複数のモジュールを含んで、処理コンポーネント７０２と他のコンポーネントのインタラクションに便利を与えることができる。例えば、処理コンポーネント７０２は、マルチメディアモジュールを含んで、マルチメディアモジュール７０８と処理コンポーネント７０２とのインタラクションのために便利を与えることができる。
【００９９】
メモリ７０４は、様々なタイプのデータを記憶して移動端末７００での操作をサポートするように構成される。これらのデータの例は、移動端末７００に操作するためのいかなる応用プログラムまたは方法の命令、連絡先データ、電話帳データ、メッセージ、画像、ビデオなどを含む。メモリ７０４は、いかなるタイプの揮発性または不揮発性記憶装置またはそれらの組み合わせによって実現されることができ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクである。
【０１００】
電力コンポーネント７０６は、移動端末７００の様々なコンポーネントに電力を供給する。電力コンポーネント７０６は、電源管理システム、１つまたは複数の電源、および移動端末７００のために電力を生成し、管理して割り当てることに関連する他のコンポーネントを含むことができる。
【０１０１】
マルチメディアコンポーネント７０８は、移動端末７００とユーザの間に１つの出力インタフェースを提供するスクリーンを含む。いくつかの実施形態において、スクリーンは、液晶ディスプレイ（ＬＣＤ）とタッチパネル（ＴＰ）を含むことができる。スクリーンがタッチパネルを含むと、スクリーンは、タッチスクリーンとして実現され、ユーザからの入力信号を受信することができる。タッチパネルは、１つまたは複数のタッチセンサを含んでタッチ、摺動とタッチパネルでの手振りをセンシングする。タッチセンサは、タッチまたは摺動操作の境界をセンシングするだけでなく、タッチまたは摺動操作に関連する持続時間と圧力を検出することができる。いくつかの実施形態において、マルチメディアコンポーネント７０８は、１つのフロントカメラおよび／またはリアカメラを含む。移動端末７００が操作モード、例えば撮影モードまたはビデオモードにある場合、フロントカメラおよび／またはリアカメラは、外部のマルチメディアデータを受信することができる。各フロントカメラおよび／またはリアカメラは、固定された光学レンズシステムであってよいまたはフォーカスと光学ズーム機能を備える。
【０１０２】
オーディオコンポーネント７１０は、オーディオ信号を出力および／または入力するように構成される。例えば、オーディオコンポーネント７１０は、１つのマイク（ＭＩＣ）を含み、移動端末７００が操作モード、例えばコールモード、記録モードと音声識別モードにある場合、マイクが外部のオーディオ信号を受信するように構成される。受信されたオーディオ信号は、さらにメモリ７０４に記憶されるまたは通信コンポーネント７１６を介して送信されることができる。いくつかの実施形態において、オーディオコンポーネント７１０は、オーディオ信号を出力するためのスピーカーをさらに含む。
【０１０３】
Ｉ／Ｏインタフェース７１２は、処理コンポーネント７０２と周辺インタフェースモジュールの間にインタフェースを提供し、前記周辺インタフェースモジュールがキーボード、クリックホイール、ボタンなどであってよい。これらのボタンは、ホームボタン、音量ボタン、起動ボタンとロックボタンを含むことができるがこれらに限られない。
【０１０４】
センサコンポーネント７１４は、１つまたは複数のセンサを含み、移動端末７００に各方面の状態評価を提供するように構成される。例えば、センサコンポーネント７１４は、移動端末７００のオン／オフ状態、コンポーネントの相対的な位置決めを検出することができ、例えばコンポーネントが移動端末７００の表示器とキーパッドであり、センサコンポーネント７１４は、さらに移動端末７００または移動端末７００の１つのコンポーネントの位置変化、ユーザと移動端末７００の接触が存在するまたは存在しないこと、移動端末７００の方位または加速／減速と移動端末７００の温度変化を検出することができる。センサコンポーネント７１４は、いかなる物理的接触がない場合に付近の物体の存在を検出するように構成される近接センサを含むことができる。センサコンポーネント７１４は、イメージングアプリケーションに使用される光センサ、例えばＣＭＯＳまたはＣＣＤ画像センサをさらに含むことができる。いくつかの実施形態において、当該センサコンポーネント７１４は、加速度センサ、ジャイロセンサ、磁気センサ、圧力センサ、マイクロ波センサまたは温度センサをさらに含むことができる。
【０１０５】
通信コンポーネント７１６は、移動端末７００と他の装置の間の有線または無線通信を容易にするように構成される。移動端末７００は、通信基準に基づく無線ネットワーク、例えばＷｉＦｉ、２Ｇまたは３Ｇ、またはそれらの組み合わせにアクセスすることができる。一つの例示的な実施形態において、通信コンポーネント７１６は、放送チャネルを介して外部放送管理システムからの放送信号または放送関連情報を受信する。一つの例示的な実施形態において、前記通信コンポーネント７１６は、さらに近接場通信（ＮＦＣ）モジュールを含んで、近距離通信を促進する。例えば、ＮＦＣモジュールにおいてＲＦ識別（ＲＦＩＤ）技術、赤外線データ協会（ＩｒＤＡ）技術、超広帯域（ＵＷＢ）技術、ブルートゥース（ＢＴ）技術と他の技術に基づいて実現することができる。
【０１０６】
例示的な実施形態において、移動端末７００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子により実現されることができ、前記方法を実行するように構成される。
【０１０７】
例示的な実施形態において、命令を含む非一時的コンピュータ可読記憶媒体、例えば命令を含むメモリ７０４が提供され、前記命令が移動端末７００のプロセッサ７２０によって実行されて前記方法を完了することができる。例えば、非一時的コンピュータ可読記憶媒体は、ＲＯＭ、ランダムアクセスメモリ（ＲＡＭ）、ＣＤ−ＲＯＭ、磁気テープ、フロッピー(登録商標)ディスクと光データ記憶装置などであってよい。
【０１０８】
非一時的コンピュータ可読記憶媒体であって、記憶媒体における命令が移動端末のプロセッサによって実行される場合、移動端末は、移動端末制御方法を実行することができ、移動端末に側辺タッチパネルが設置され、当該方法は、
操作体が前記移動端末の側辺にタッチ操作する時にトリガしたタッチ信号を検出することと、
タッチ信号に基づいて、タッチ操作に対応するタッチ位置とタッチモードを確定することと、
タッチ位置とタッチモードに基づいて、対応する制御イベントを確定することと、
制御イベントに基づいて移動端末を制御することとを含む。
【０１０９】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【０１１０】
本分野の当業者は、明細書を考慮してここに開示される発明を実践した後に、容易に本開示の他の実施形態を考える。本開示は、本開示のいかなる変形、用途または適応性変化をカバーすることを意図し、これらの変形、用途または適応性変化が本開示の一般的な原理に従い且つ本開示に開示されない本技術分野における公知の常識または慣用技術手段を含む。明細書と実施形態は、ただ例示的なものだけと見なされ、本開示の真の範囲および精神が以下の特許請求の範囲によって示される。
【０１１１】
本発明は、以上に説明され且つ図面に示す正確な構造に限られなく、且つその範囲から逸脱しなくて各種類の変更と変化を行うことができると理解すべきである。本開示の範囲は、添付の特許請求の範囲のみによって限定される。
【産業上の利用可能性】
【０１１２】
本開示の実施形態によれば、移動端末に設置された側辺タッチパネルにより操作体が移動端末の側辺に作用してタッチ操作してトリガしたタッチ信号を検出し、タッチ信号に基づいてタッチ操作に対応するタッチ位置とタッチモードを確定し、タッチ位置とタッチモードに基づいて制御イベントを確定し、制御イベントに基づいて移動端末を制御する。本開示は、スクリーンタッチ領域以外の移動端末の側辺でのタッチ操作により移動端末を制御することを実現し、マンマシンインタラクションを向上させる。
【図１】
2017535895.tif 000003
【図２】
2017535895.tif 000004
【図３】
2017535895.tif 000005
【図４】
2017535895.tif 000006
【図５】
2017535895.tif 000007
【図６】
2017535895.tif 000008
【図７】
2017535895.tif 000009
【国際調査報告】
2017535895.tif 000010
2017535895.tif 000011
2017535895.tif 000012
2017535895.tif 000013